(57)【要約】【課題】  ボタンの数を減らすことで、ユーザの操作負担を軽減することができるリモートコントローラを実現する。【解決手段】  ユーザを認識するユーザ認識手段１１０と、指の種類を認識する指認識手段１０３と、指の操作を認識する操作認識手段１０２と、前記ユーザ認識手段で認識されたユーザの個人設定に基づき、前記指認識手段で認識された前記指の種類および前記操作認識手段で認識された前記指の操作に対応するコマンドを特定するコマンド特定手段１１１と、前記コマンド特定手段で特定されたコマンドを対象機器に送信するコマンド送信手段１１２とを具備する。【選択図】      図１
2009088653.tif 000002
【特許請求の範囲】
【請求項１】
ユーザを認識するユーザ認識手段と、
指の種類を認識する指認識手段と、
指の操作を認識する操作認識手段と、
前記ユーザ認識手段で認識されたユーザの個人設定に基づき、前記指認識手段で認識された前記指の種類および前記操作認識手段で認識された前記指の操作に対応するコマンドを特定するコマンド特定手段と、
前記コマンド特定手段で特定されたコマンドを対象機器に送信するコマンド送信手段と
を具備することを特徴とするリモートコントローラ。
【請求項２】
前記指の種類に対応するボタンを更に具備し、
前記指認識手段は、前記ボタンが押されることで前記指の種類を認識することを特徴とする請求項１記載のリモートコントローラ。
【請求項３】
表面をなぞる指の軌跡を読み取るタッチパッドを更に具備し、
前記操作認識手段は、前記タッチパッドの表面をなぞる指の軌跡を読み取ることで前記指の操作を認識することを特徴とする請求項２記載のリモートコントローラ。
【請求項４】
前記タッチパッドを第１の面に具備し、前記第１の面と対向する第２の面に前記ボタンを具備することを特徴とする請求項３記載のリモートコントローラ。
【請求項５】
操作ガイダンスを表示する表示手段を更に具備することを特徴とする請求項４記載のリモートコントローラ。
【請求項６】
前記表示手段は、ユーザを認識するためのユーザ認識情報および前記個人設定を登録する操作ガイダンスを表示することを特徴とする請求項５記載のリモートコントローラ。
【請求項７】
ユーザの指の静脈パターンを記憶する記憶手段を更に具備し、
前記ユーザ認識手段は、前記記憶手段で記憶された前記静脈パターンに基づき、ユーザを認識することを特徴とする請求項１記載のリモートコントローラ。
【請求項８】
ユーザの指の指紋パターンを記憶する記憶手段を更に具備し、
前記ユーザ認識手段は、前記記憶手段で記憶された前記指紋パターンに基づき、ユーザを認識することを特徴とする請求項１記載のリモートコントローラ。
【請求項９】
ユーザの固有の情報に基づき、指の種類および指の操作に対応したコマンドを対象機器に送信して制御する遠隔操作方法であって、
前記ユーザを認識し、
前記指の種類を特定し、
前記指の操作を読み取り、
前記ユーザの個人設定に基づき、前記指の種類および前記指の操作によって前記対象機器を制御する前記コマンドを特定し、
該コマンドを対象機器に送信すること
を特徴とする遠隔操作方法。
【発明の詳細な説明】
【技術分野】
【０００１】
本発明は、指の種類および指の操作に対応したコマンドを対象機器に送信して制御するリモートコントローラ及び遠隔操作方法に関する。
【背景技術】
【０００２】
従来、対象の機器・装置等に赤外線等を利用してコマンドを送信し、自由に制御するリモートコントローラとして、テレビジョン、ビデオ、オーディオ、エアコン等の電気機器のリモートコントローラがある。一般的に、これらのリモートコントローラには、各種コマンドに対応した複数のボタンが配置されており、該ボタンを選択・押下することで所望のコマンドが対象の機器・装置等に送信される。そして、該コマンドを受信した対象の機器・装置等は該コマンドを実行する。
【０００３】
また、これらのリモートコントローラの中には、設置された複数のボタンの中から所望のコマンドに対応したボタンを探すことなく、操作をわかりやすく効率よく行うことができるように設置するボタンの数を減らしたリモートコントローラがある。
【０００４】
例えば、特許文献１には、予め送信したいデータの種類を区別し、区別されたデータと指紋特徴とを対応付けて記憶させておき、入力した指紋特徴を検索キーとして指紋特徴に対応付けられたデータを取得し、取得したデータを送信する携帯情報端末装置が開示されている。
【特許文献１】特開２０００−２７０３８５号公報
【発明の開示】
【発明が解決しようとする課題】
【０００５】
しかし、特許文献１に示す携帯情報端末装置のような従来のリモートコントローラは、複数のボタンを管理する煩雑さを避け、より簡単に効率よく対象の機器・装置等の制御するためにリモートコントローラ上で扱うコマンドの数を制限している。このため、１回で送信できる操作コマンドは１つの指紋特徴に対して１つしか設定されておらず、連続して多くのコマンドを送信する複雑な処理を行う場合については考慮されていない。
【０００６】
一般に、リモートコントローラの対象の機器・装置等が発展して多機能化するに伴い、その機能を制御するため、より多くのコマンドを入力・送信する必要がある。よって、これらのコマンドの入力・送信を簡単に行い、ユーザの負担を軽減するために新たな仕組みを実現することが必要である。
【０００７】
そこで、本発明は上述の事情を考慮してなされたものであり、ボタンの数を減らすことで、ユーザの操作負担を軽減することができるリモートコントローラおよび遠隔操作方法を提供することを目的とする。
【課題を解決するための手段】
【０００８】
上述の課題を解決するため、本発明のリモートコントローラは、ユーザを認識するユーザ認識手段と、指の種類を認識する指認識手段と、指の操作を認識する操作認識手段と、前記ユーザ認識手段で認識されたユーザの個人設定に基づき、前記指認識手段で認識された前記指の種類および前記操作認識手段で認識された前記指の操作に対応するコマンドを特定するコマンド特定手段と、前記コマンド特定手段で特定されたコマンドを対象機器に送信するコマンド送信手段とを具備することを特徴とする。
【０００９】
また、本発明は、前記ユーザを認識し、前記指の種類を特定し、前記指の操作を読み取り、前記ユーザの個人設定に基づき、前記指の種類および前記指の操作によって前記対象機器を制御する前記コマンドを特定し、該コマンドを対象機器に送信することを特徴とする。
【発明の効果】
【００１０】
本発明によれば、ボタンの数を減らすことで、ユーザの操作負担を軽減することができるリモートコントローラおよび遠隔操作方法を提供することができる。
【発明を実施するための最良の形態】
【００１１】
以下、図面を参照して本発明の実施形態を説明する。図１に、本実施形態に係るリモートコントローラの一態様を示す。このリモートコントローラ１００は、例えば、パーソナルコンピュータ等の外部のデジタル機器との接続ができる多機能のテレビジョン等を遠隔操作する装置として実現されている。
【００１２】
さらに、本実施の形態におけるリモートコントローラ１００は、ユーザの静脈パターンや指紋パターン等の個人認識情報、およびユーザが設定した個人用の操作設定を記憶することができる。該操作設定は、指の種類と指の操作に対応した各種コマンドを決定するものである。
【００１３】
これにより、本実施の形態におけるリモートコントローラ１００は、各種コマンドに対応した複数のボタンを用いることなく、所望のコマンドを選択・決定することできる。また、指の操作を複数のパターンに増やして設定することで、多機能の機器・装置等を制御する複数のコマンドを処理することができる。従って、本実施の形態におけるリモートコントローラ１００は、ボタンの数を減らし、ユーザの操作負担を軽減することができる。
【００１４】
図１（ａ）、（ｂ）は、本発明の一実施形態に係るリモートコントローラ１００の外観の一例を示す図である。図１（ａ）は、本実施の形態のリモートコントローラ１００をタッチパッド設置面１００Ａから見た図であり、図１（ｂ）は、本実施の形態のリモートコントローラ１００をタッチパッド設置面１００Ａと対向した面である指認識ボタン設置面１００Ｂから見た図である。図１（ａ）に示すように、本実施の形態のリモートコントローラ１００のタッチパッド設置面１００Ａには、操作内容を表示する表示部１０１と、指の操作を読み取るタッチパッド１０２が設けられている。
【００１５】
また、図１（ｂ）に示すように、本実施の形態のリモートコントローラ１００の指認識ボタン設置面１００Ｂには、指の種類を認識する指認識部１０３が設けられ、該指認識部１０３には、人差し指を認識する人差し指認識ボタン１０４、中指を認識する中指認識ボタン１０５、薬指を認識する薬指認識ボタン１０６、および小指を認識する小指認識ボタン１０７が設けられている。従って、このリモートコントローラ１００を使って対象の機器や装置等を制御する際、ユーザは、リモートコントローラ１００のタッチパッド設置面１００Ａに設けられたタッチパッド１０２を指でなぞる操作と、リモートコントローラ１００の指認識ボタン設置面１００Ｂに設けられた４つのボタンの中の１つを選択・決定する操作とを行うだけでよい。
【００１６】
また、本実施の形態のリモートコントローラ１００は、タッチパッド１０２と指認識指認識部１０３とをそれぞれ対向した別の面に設けることで、両方の面から同時にリモートコントローラ１００の操作を行うことを可能にする。
【００１７】
本実施の形態のリモートコントローラ１００は、このような簡単な操作で複数のコマンドを送信し、多機能の機器や装置等を制御する仕組みを提供するものであり、以下、この点について詳述する。
【００１８】
図２は本発明の一実施形態に係るリモートコントローラ１００におけるシステムの構成を示している。また、本実施の形態では、例えば、ユーザを認識するために用いる個人認識情報として指紋パターンの照合を想定した例を示す。
【００１９】
図２に示すように、本実施の形態におけるリモートコントローラ１００は、タッチパッド１０２、指認識部１０３、記憶部１０８、ＧＵＩ制御部１０９、ユーザ認識部１１０、コマンド特定部１１１、および送信部１１２等を備えている。
【００２０】
タッチパッド１０２は、表面をなぞる指の操作を読み取り、ＧＵＩ制御部１０９に出力する。また、タッチパッド１０２は、表面に付けられた指から指紋パターンを読み取り、記憶部１０８に出力する。
【００２１】
指認識部１０３は、人差し指認識ボタン１０４、中指認識ボタン１０５、薬指認識ボタン１０６、および小指認識ボタン１０７を有し、ユーザが選択・押下したボタンの種類によりユーザが選択した指の種類を認識する。そして、認識した結果をＧＵＩ制御部１０９に出力する。なお、本実施の形態では、リモートコントローラ１００の裏側に人差し指認識ボタン１０４、中指認識ボタン１０５、薬指認識ボタン１０６、および小指認識ボタン１０７を設けているが、これに限らず、例えば、ボタンを１つだけ設置し、連続して押下する回数で指の種類を認識してもよい。また、ボタンを用いて指の種類を認識する手段に限らず、各指の指紋パターンを読み取ることで種類を認識する等、指の種類を認識する手段であればよい。
【００２２】
記憶部１０８は、例えば、タッチパッド１０２から出力された個人認識情報である指紋パターンと、ユーザが自ら設定した個人用の操作設定とを記憶することができる。該操作設定は、指の種類と指の操作に対応した各種コマンドを決定するものである。
【００２３】
ＧＵＩ制御部１０９は、タッチパッド１０２および指認識部１０３からの入力を受けて、記憶部１０８に記憶された情報を読み出し、ユーザ認識部１１０およびコマンド特定部１１１を制御する。また、ＧＵＩ制御部１０９は、ユーザ認識部１１０から出力される情報を受けて表示部１０１を制御する。さらに、ＧＵＩ制御部１０９は、本実施の形態におけるリモートコントローラ１００を操作するガイダンスを表示する。
【００２４】
ユーザ認識部１１０は、ＧＵＩ制御部１０９の制御の下、例えば、タッチパッド１０２を介して読み取った指紋パターンと記憶部１０８に記憶されている指紋パターンとを照合してユーザの認識をする。そして、認識した結果をＧＵＩ制御部１０９に出力する。なお、本実施の形態では、指紋パターンを読み取る手段にタッチパッド１０２を用いているが、これに限らず、スライド型のセンサを用いて指紋パターンを読み取る手段等、指紋パターンを読み取ることができる手段であればよい。
【００２５】
コマンド特定部１１１は、ＧＵＩ制御部１０９の制御の下、記憶部１０８に記憶されている個人用の操作設定に基づき、タッチパッド１０２および指認識部１０３を介して出力された指の種類および指の操作に対応する所望のコマンドを特定する。そして、特定したコマンドを送信部１１２に出力する。
【００２６】
送信部１１２は、例えば赤外線等を利用して、コマンド特定部１１１で特定された再生や録画等のコマンドを遠隔操作対象の機器であるテレビジョン２００に送信する。
【００２７】
次に、図３を参照して、指の種類および指の操作に対応したコマンドの設定について説明する。
指の種類および指の操作に対応したコマンドの設定の方法は、例えば、表示部１０１に表示するリモートコントローラ１００を操作するガイダンスに従って、ユーザが個人認識情報である指紋パターンと、個人用の操作設定とを登録する方法を想定している。
【００２８】
図３（ａ）は、表示部１０１に表示されるユーザ登録の画面を示している。ユーザが表示画面の指示に従って指紋登録を行う指をタッチパッド１０２の表面におくと、タッチパッド１０２は指紋パターンを読み取り記憶部１０８に出力する。タッチパッド１０２からの指紋パターンの出力がなされると、記憶部１０８は登録完了の信号をＧＵＩ制御部１０９に送信する。この信号を取得したＧＵＩ制御部１０９は、表示部１０１の表示を図３（ｂ）に示すように更新し、指の種類と、タッチパッド１０２の表面をなぞる指の操作を登録できる表示にする。
【００２９】
図３（ｂ）の表示がされたとき、ユーザは、本リモートコントローラ１００の裏側に設置された人差し指認識ボタン１０４、中指認識ボタン１０５、薬指認識ボタン１０６、および小指認識ボタン１０７の中から１つのボタンを選択して押下する。次に、タッチパッド１０２の表面を指でなぞる操作を行う。
【００３０】
図３（ｂ）は、例えば、人差し指のアイコン３ａ１、中指のアイコン３ａ２、薬指のアイコン３ａ３、小指のアイコン３ａ４の中から、ユーザが中指認識ボタン１０５を押すことでカーソル３ａを操作して中指のアイコン３ａ２を選択・決定し、タッチパッド１０２の表面をなぞる指の操作を右から左へスライドさせる操作に決定した場合を示している。
【００３１】
ユーザによる入力操作が行われると、該操作は登録情報としてＧＵＩ制御部１０９に伝達される。登録情報を受けたＧＵＩ制御部１０９は、表示部１０１の表示を図３（ｃ）に示すように更新し、ユーザが指の種類と指の操作に対応したコマンドの設定を行うことができるようにする。
【００３２】
図３（ｃ）は、本実施の形態におけるリモートコントローラ１００で制御する多機能のテレビジョンのコマンドをアイコンとして表示部１０１に表示する様子を示している。例えば、このテレビジョンでは、２０種類のコマンドがあると想定する。そして、本実施の形態におけるリモートコントローラ１００では、タッチパッド１０２の表面で指を上下左右にスライドする操作により、カーソル３ａを上下左右に制御し、タッチパッド１０２の表面で指をタップする操作により所望のアイコンを選択・決定することができる。
【００３３】
ここで、ユーザは、例えば、表示されるコマンドのアイコンの１つである「録画」のアイコンを選択・決定した場合、この選定指示はＧＵＩ制御部１０９に伝達される。選定指示を受けたＧＵＩ制御部１０９は、「録画」のコマンドを図３（ｂ）で登録した指の種類と指の操作に対応するコマンドとして記憶部１０８に出力する。
【００３４】
上述の動作を繰り返して、ユーザは、指の種類と指の操作に対応する多機能のテレビジョンの各種コマンドを決定する。
本実施の形態におけるリモートコントローラ１００では、ユーザを認証する手段と、ユーザが自ら操作設定を登録する手段を有することで、各ユーザの好みに合わせた操作を実現することができる。以下では、図４を参照して、種類および指の操作に対応したコマンドを設定するまでの流れについて説明する。
【００３５】
図４は種類および指の操作に対応したコマンドを設定するまでの手順を示したフローチャートである。
まず、ＧＵＩ制御部１０９は、表示部１０１にユーザを認識する個人認識情報である指紋パターンを登録させる画面を表示する（ステップＳ１０１）。次に、ＧＵＩ制御部１０９は、タッチパッド１０２等を介して認識した指紋パターンを記憶部１０８に出力する。
【００３６】
記憶部１０８は、ＧＵＩ制御部１０９から出力された情報をユーザの個人認識情報として記憶する（ステップＳ１０２）。次に、ＧＵＩ制御部１０９は、表示部１０１に指の種類と、タッチパッド１０２の表面をなぞる指の操作を登録させる画面を表示する（ステップＳ１０３）。そして、ＧＵＩ制御部１０９は、指認識部１０３およびタッチパッド１０２等を介して認識した指の種類と、タッチパッド１０２の表面をなぞる指の操作に対応したコマンドを決定する（ステップＳ１０４）。
【００３７】
ＧＵＩ制御部１０９は、ステップＳ１０４でユーザが決定した指の種類と、タッチパッド１０２の表面をなぞる指の操作に対応したコマンドをユーザの個人用の操作設定として記憶部１０８に出力する。
【００３８】
記憶部１０８は、ＧＵＩ制御部１０９から出力されたユーザの個人用の操作設定を記憶する（ステップＳ１０５）。
上述の手順を繰り返し、個人用の操作設定を登録した一例について図５を参照して説明する。
図５は、人差し指、中指、薬指、および小指の４種類の指におけるタッチパッド１０２の表面をなぞる各指の操作に対応した多機能のテレビジョンの各種コマンドを示している。
【００３９】
本実施の形態では、例えば、タッチパッド１０２の表面をなぞる各指の操作としてタップ、右から左へのスライド、左から右へのスライド、下から上へのスライド、および上から下へのスライド等の操作を例として示している。
【００４０】
本実施の形態では、例えば、遠隔操作対象の機器であるテレビジョン２００を制御する各種コマンドを４つの種類に分けて設定している。例えば、テレビジョン２００とパーソナルコンピュータとの接続をした場合、人差し指には、カーソルや決定キー等の動作を制御する類型のコマンドが設定してある。また、中指に設定された各種コマンドは、テレビジョン・ビデオ切り替え、チャンネル選択、および音声調節等のテレビジョン機能を制御する類型のコマンドが設定してある。そして、薬指および小指には、録画や再生等のビデオ機能を制御する類型のコマンドが設定してある。
【００４１】
ここで、例えば、ユーザが、指認識部１０３の人差し指認識ボタン１０４を選択・押下してタッチパッド１０２の表面をタップする操作を行うと、人差し指におけるタップ操作に対応した決定キーを制御するコマンドがテレビジョン２００に送信される。同様に、人差し指認識ボタン１０４を選択・押下してタッチパッド１０２の表面を上下左右になぞる操作を行うと、人差し指における上下左右のスライド操作に対応したカーソルを制御する各コマンドがテレビジョン２００に送信される。従って、本実施の形態では、１つのボタンで５つのコマンドを入力することを実現する。
【００４２】
また、本実施の形態では、図５で示した指の操作に限らず、タッチパッド１０２に表面に数字やひらがな等の文字を書く指の操作や、簡単な図形を描く指の操作等をユーザの好みに合わせて設定することで、コマンドの種類を増やすことができる。
【００４３】
上述した通り、本実施の形態におけるリモートコントローラ１００では、指の種類と、タッチパッド１０２の表面をなぞる指の操作とに対応したコマンドを設定する手段を有することで、リモートコントローラ１００の本体上に各種コマンドに対応した複数のボタンを設けることなく、複数のコマンドを処理することができる。
【００４４】
次に、図６を参照して所望のコマンドを送信するまでの流れを説明する。ここでは、本実施の形態におけるリモートコントローラ１００が制御する多機能のテレビジョンに録画を実行するコマンドを送信する場合を例にして説明する。また、説明を分かりやすくするため、ここでは、予め図３および図４で示した内容の登録を行っていると想定する。
【００４５】
図６（ａ）は、はじめに表示部１０１に表示されるユーザ認識の待ち受け画面を示している。ユーザが表示部１０１の表示に従って、予め指紋登録を行っている指をタッチパッド１０２の表面につけると、タッチパッド１０２は、指紋パターンを読み取りＧＵＩ制御部１０９を介してユーザ認識部１１０に出力する。
【００４６】
タッチパッド１０２からの指紋パターンの出力がなされると、ユーザ認識部１１０は、ＧＵＩ制御部１０９を介して記憶部１０８から登録された過去の指紋パターンを読み出し、それらの照合を行うことでユーザを認識する。ユーザの認識が完了すると、ユーザ認識部１１０は、ユーザ認識完了の信号をＧＵＩ制御部１０９に送信する。この信号を取得したＧＵＩ制御部１０９は、表示部１０１の表示を図６（ｂ）に示すように更新し、ユーザが所望のコマンドの入力を確認できるようにする。
【００４７】
ここで、ユーザの認識ができない場合、ユーザ認識部１１０は、ユーザ再認識の信号をＧＵＩ制御部１０９に送信する。この信号を取得したＧＵＩ制御部１０９は、表示部１０１の表示を図６（ａ）の状態に維持する。
【００４８】
図６（ｂ）は、図4に示したユーザの個人用の操作設定を表示部１０１に表示する様子を示している。ここで、ユーザが、図６（ｂ）に示された表示画面を確認し、所望のコマンドを送信する指の種類と、タッチパッド１０２の表面をなぞる指の操作を行った場合、指認識部１０３およびタッチパッド１０２は、それぞれ指の種類と指の操作を認識し、ＧＵＩ制御部１０９を介してコマンド特定部１１１に出力する。
【００４９】
指認識部１０３およびタッチパッド１０２から指の種類と指の操作の出力がなされると、コマンド特定部１１１は、ＧＵＩ制御部１０９を介して記憶部１０８から登録されたユーザの個人用の操作設定を読み出し、それらの照合を行うことでコマンドを特定する。コマンドの特定が完了すると、コマンド特定部１１１は、特定されたコマンドを送信部１１２に出力し、送信部１１２は、該コマンドを遠隔操作対象の機器であるテレビジョン２００に送信する。
【００５０】
ここで、コマンドの特定ができない場合、コマンド特定部１１１は、コマンド再入力の信号をＧＵＩ制御部１０９に送信する。この信号を取得したＧＵＩ制御部１０９は、表示部１０１の表示を図６（ｂ）の状態に維持する。
【００５１】
上述した通り、本実施の形態におけるリモートコントローラ１００では、指の種類と、タッチパッド１０２の表面をなぞる指の操作を表示部１０１に表示させることで、簡単に効率よく操作することができる。
【００５２】
次に、図７のフローチャートを参照して、所望のコマンドを送信するまでの流れを説明する。
まず、ＧＵＩ制御部１０９は、表示部１０１にユーザを認識する個人認識情報である指紋パターンを入力させる画面を表示する（ステップＳ２０１）。個人認識情報の入力がなされると、ユーザ認識部１１０は、ＧＵＩ制御部１０９を介して記憶部１０８から登録された過去の指紋パターンを読み出し、それらの照合を行うことでユーザを認識する（ステップＳ２０２のＹｅｓ）。
【００５３】
ここで、ユーザの認識ができない場合、ユーザ認識部１１０は、ユーザ再認識の信号をＧＵＩ制御部１０９に送信する。この信号を取得したＧＵＩ制御部１０９は、表示部１０１の表示を、個人認識情報を入力させる画面に維持する（ステップＳ２０２のＮｏ）。
【００５４】
ユーザの認識が完了すると、ユーザ認識部１１０は、ユーザ認識完了の信号をＧＵＩ制御部１０９に送信する。次に、ＧＵＩ制御部１０９は、表示部１０１に所望のコマンドを入力する指の種類と指の操作が確認できる画面を表示する（ステップＳ２０３）。
【００５５】
ユーザによる入力が行われると、ＧＵＩ制御部１０９は、指認識部１０３およびタッチパッド１０２を介して認識した指の種類と指の操作をコマンド特定部１１１に出力する。コマンド特定部１１１は、ＧＵＩ制御部１０９を介して記憶部１０８から登録されたユーザの個人用の操作設定を読み出し、それらの照合を行うことでコマンドを特定する（ステップＳ２０４のＹｅｓ）。
【００５６】
ここで、コマンドの特定ができない場合、コマンド特定部１１１は、コマンド再入力の信号をＧＵＩ制御部１０９に送信する。この信号を取得したＧＵＩ制御部１０９は、表示部１０１の表示を、所望のコマンドを送信する指の種類と指の操作が確認できる画面に維持する（ステップＳ２０４のＮｏ）。
【００５７】
コマンド特定部１１１は、特定されたコマンドを送信部１１２に出力する。送信部１１２は、コマンド特定部１１１から出力されたコマンドを遠隔操作対象の機器であるテレビジョン２００に送信する（ステップＳ２０５）。
【００５８】
以上のように、本実施の形態においては、リモートコントローラ１００の本体に設置するボタンの数を減らすことで、ユーザの操作負担を軽減することができる。
また、本実施の形態では、ユーザを認証する手段と、ユーザが自ら操作設定を登録する手段を有することで、各ユーザの好みに合わせた操作を実現することができる。
【００５９】
また、本実施の形態では、ユーザを認証するための個人認証情報として、指紋パターンを用いたが、これに限らず、静脈パターン等のユーザを認識できる情報であればよい。
【００６０】
また、本実施の形態では、タッチパッド１０２の表面をなぞる指の操作をユーザの好みに合わせて設定することで、コマンドの種類を増やすことができる。また、指の種類と、タッチパッド１０２の表面をなぞる指の操作を表示部１０１に表示させることで、簡単に効率よく操作することができる。
【００６１】
本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【図面の簡単な説明】
【００６２】
【図１】本発明の記録装置の一実施の形態の外観を示す図である。
【図２】図１の実施の形態におけるブロック図である。
【図３】図１の実施の形態におけるユーザ登録の一例を説明する図である。
【図４】図１の実施の形態におけるユーザ登録の手順を示すフローチャートである。
【図５】図１の実施の形態における指の種類と指の操作に対応したコマンドの一例を示す図である。
【図６】図１の実施の形態における所望のコマンドを選択・送信する画面の一例を示す図である。
【図７】図１の実施の形態における所望のコマンドを選択・送信する手順を示すフローチャートである。
【符号の説明】
【００６３】
１００  リモートコントローラ本体
１０１  表示部
１０２  タッチパッド
１０３  指認識部
１０４  人差し指認識ボタン
１０５  中指認識ボタン
１０６  薬指認識ボタン
１０７  小指認識ボタン
１０８  記憶部
１０９  ＧＵＩ制御部
１１０  ユーザ認識部
１１１  コマンド特定部
１１２  送信部
【図１】
2009088653.tif 000003
【図２】
2009088653.tif 000004
【図３】
2009088653.tif 000005
【図４】
2009088653.tif 000006
【図５】
2009088653.tif 000007
【図６】
2009088653.tif 000008
【図７】
2009088653.tif 000009